(57)【要約】【課題】閲覧防止処置を施していることを悟られることなく、携帯電話内情報の閲覧を防止するシステムを提供する。【解決手段】入力キー情報を取得するキー操作情報取得部２０２と、暗証キー操作データベース２０６より、通常モード用暗証キー操作情報を取得し、前記入力キー情報と比較し、不一致と判定した場合、第三者による不正使用と判断しダミーモードに設定し、通常モード用暗証キー操作情報と一致すると判定した場合は、正しいアドレス帳・メール送受信履歴・発着信履歴等の起動を許容する通常モードに設定するキー操作情報認証部２０３と、ダミーモードに設定された場合に、ダミーのアドレス帳・メール送受信履歴・発着信履歴等を起動し、ダミーのアドレス帳・メール送受信履歴・発着信履歴等を表示するダミーデータ表示部２０５等を携帯電話端末２０１内に備えた携帯電話内情報の閲覧防止システムを提供する。【選択図】図１
2008219459.tif 000002
【特許請求の範囲】
【請求項１】
通常モード用及び登録モード用暗証キー操作情報を予め登録する暗証キー操作データベースと、
キー入力操作された入力キー情報を取得するキー操作情報取得手段と、
キー入力操作を検知した時、前記暗証キー操作データベース内より、通常モード用又は登録モード用暗証キー操作情報を取得し、前記キー操作情報取得手段が取得した入力キー情報と、通常モード用又は登録モード用暗証キー操作情報とを比較し、一致するかどうかを判定し、不一致と判定した場合は、第三者による不正使用と判断しダミーモードに設定し、通常モード用暗証キー操作情報と一致すると判定した場合は、正しいアドレス帳・メール送受信履歴・発着信履歴等の起動を許容する通常モードに設定し、登録モード用暗証キー操作情報と一致すると判定した場合は、登録モードに設定するキー操作情報認証手段と、
ダミーモードに設定された場合に、ダミーのアドレス帳・メール送受信履歴・発着信履歴等を起動し、ダミーのアドレス帳・メール送受信履歴・発着信履歴等を表示するダミーデータ表示手段と、
登録モードに設定された場合に、暗証キー操作登録画面を表示し、暗証キー入力操作の登録処理を行なう暗証キー操作ＤＢ更新手段とを携帯電話内に備えたことを特徴とする携帯電話内情報の閲覧防止システム。
【発明の詳細な説明】
【技術分野】
【０００１】
本発明は、第三者による携帯電話内情報の閲覧を防止するシステムに関するものである。
【背景技術】
【０００２】
携帯電話の普及に伴い、第三者による無断使用防止策や、端末内情報の閲覧防止策が不可欠なものとなってきている。
最近では、暗証番号によるロック機構を搭載した端末も多く、使用不可にすることやアクセス制限をすることは容易に行える。端末によっては、シークレット機能を設けているものもあり、第三者に閲覧されたくない情報は、シークレット登録をすることで、通常閲覧時には表示されず、シークレット閲覧時にだけ表示されるよう設定することが可能であるが、シークレット閲覧をするためには、暗証番号を入力してロックを解除する必要がある。
また、下記の特許文献１のように、セキュリティフラグがたっている場合に、個人情報を用いる機能を制限し、使用不可の通知をする方法も開示されている。
【特許文献１】特開平１０−２２９５８３号公報
【発明の開示】
【発明が解決しようとする課題】
【０００３】
これまでの、暗証番号によるロック機構では、閲覧防止策としては有効な手段であるが、暗証番号入力を促すダイアログを表示する等、携帯電話に閲覧防止処置を施していることが、第三者に知られてしまう。
図５は、閲覧防止処置が施されている携帯電話端末１０１において、アドレス帳キー１０２を押下した場合に、暗証番号入力を促すダイアログ１０３が表示される様子を示している。
身内などの親しい間柄にとっては、閲覧防止処置をすることによって、相手に不信感を与える等、人間関係に悪影響を及ぼす可能性がある。
【０００４】
以上の現状に鑑み、本発明は、閲覧防止処置を施していることを悟られることなく、携帯電話内情報の閲覧を防止する携帯電話内情報の閲覧防止システムを提供することを目的とする。
【課題を解決するための手段】
【０００５】
上記の課題を解決すべく、本発明は以下の構成を提供する。
請求項１に係る発明は、通常モード用及び登録モード用暗証キー操作情報を予め登録する暗証キー操作データベースと、
キー入力操作された入力キー情報を取得するキー操作情報取得手段と、
キー入力操作を検知した時、前記暗証キー操作データベース内より、通常モード用又は登録モード用暗証キー操作情報を取得し、前記キー操作情報取得手段が取得した入力キー情報と、通常モード用又は登録モード用暗証キー操作情報とを比較し、一致するかどうかを判定し、不一致と判定した場合は、第三者による不正使用と判断しダミーモードに設定し、通常モード用暗証キー操作情報と一致すると判定した場合は、正しいアドレス帳・メール送受信履歴・発着信履歴等の起動を許容する通常モードに設定し、登録モード用暗証キー操作情報と一致すると判定した場合は、登録モードに設定するキー操作情報認証手段と、
ダミーモードに設定された場合に、ダミーのアドレス帳・メール送受信履歴・発着信履歴等を起動し、ダミーのアドレス帳・メール送受信履歴・発着信履歴等を表示するダミーデータ表示手段と、
登録モードに設定された場合に、暗証キー操作登録画面を表示し、暗証キー入力操作の登録処理を行なう暗証キー操作ＤＢ更新手段とを携帯電話内に備えたことを特徴とする携帯電話内情報の閲覧防止システムを提供するものである。
【発明の効果】
【０００６】
本発明の請求項１記載の発明によれば、携帯電話のオーナーは、端末内情報の閲覧防止処置を施していることを第三者に悟られることなく、閲覧制限をかけることが可能となる。
【発明を実施するための最良の形態】
【０００７】
以下、実施例を示した図面を参照しつつ本発明の実施の形態を説明する。
図１は、本発明の一実施形態における携帯電話内情報の閲覧防止システムの構成を示すブロック図である。
本システムは、携帯電話端末２０１内に構成される携帯電話内情報の閲覧防止システムであり、キー操作情報取得部２０２、キー操作情報認証部２０３、暗証キー操作ＤＢ（データベース）更新部２０４、ダミーデータ表示部２０５、暗証キー操作ＤＢ２０６で構成されている。
【０００８】
キー操作情報取得部２０２は、待ち受け画面からの利用者のキー操作を監視し、そのキー操作情報を取得する。キー操作情報認証部２０３は、キー操作情報取得部２０２によって取得されたキー操作情報が、暗証キー操作ＤＢ２０６に格納されている登録済みの暗証キー操作と一致するかどうかの認証作業を実施する。暗証キー操作ＤＢ更新部２０４は、オーナーが暗証キー操作を登録する際に、暗証キー操作ＤＢ２０６のデータ更新を実施する。ダミーデータ表示部２０５は、キー操作情報認証部２０３によって、認証されなかった場合で、且つ、第三者による不正使用と判定された場合に、携帯電話内の実データの代わりに、ダミーデータを表示する役割を持つ。
【０００９】
図２は、暗証キー操作ＤＢ２０６と、暗証キー操作ＤＢ２０６が保持する暗証キー操作テーブル３０１のテーブル図である。
暗証キー操作テーブル３０１には、モード種別３０２、暗証キー操作数３０３、暗証キー操作情報３０４の情報が保管されている。
モード種別３０２には、キー操作認証後の携帯電話の動作モードを識別するための情報（例えば、通常モード、登録モード）が格納されており、暗証キー操作数３０３には、オーナーが登録する暗証キー操作のキー数（例えば、６、９）が格納されており、暗証キー操作情報３０４には、暗証キー操作のキーの順番（例えば、通常モード用の「４＊３９＃７」、登録モード用の「６８＃００＊１７３」）が格納されている。
【００１０】
本実施の形態ではアドレス帳を例として説明するが、同様の処理で、メール送受信履歴・発着信履歴等も適用可能である。
図３は、待ち受け画面からアドレス帳を起動する処理のフローチャートである。
オーナーがアドレス帳を利用する場合、待ち受け画面にて登録済みの通常モード用の暗証キー操作情報と同じ符号を入力するためのキー入力操作を開始（携帯電話操作開始）する（ステップ４０１）。待ち受け画面からのキー入力操作を検知したキー操作情報認証部２０３は、暗証キー操作ＤＢ２０６内より、予め登録された通常モード用の暗証キー操作情報３０４（例えば、「４＊３９＃７」）を取得する（ステップ４０２）。一方、キー操作情報取得部２０２は、前述のキー入力操作された入力キー情報を取得し（ステップ４０４）、キー操作情報認証部２０３は、キー操作情報取得部２０２が取得した入力キー情報と、通常モード用暗証キー操作情報３０４とを比較し、一致するかどうかを判定する（ステップ４０５）。
【００１１】
ステップ４０５の判定は、入力キー情報の符号（この場合キー）毎に実行され、暗証キー操作情報３０４の暗証キー操作数３０３の数だけ繰り返され、即ち、ループ処理され（ステップ４０３）、その暗証キー操作数３０３のキー入力操作終了時点でステップ４０３のループ処理を終了する。
【００１２】
ステップ４０５の判定に於いて、不一致が発生した場合は、ステップ４０３のループ処理を抜け、次に述べるステップ４０６に進む。
【００１３】
暗証キー操作数３０３のキー入力操作終了時点でステップ４０３を終了した場合は、一連のキー入力操作が通常モード用暗証キー操作情報３０４（例えば、「４＊３９＃７」）と完全に一致したかどうかが判定され（ステップ４０６）、一致した場合、オーナーによる通常使用モードであると判断され、モード種別３０２にある通常モードに設定され（ステップ４０７）、正しいアドレス帳が起動される（ステップ４０８）。
ステップ４０６で、不一致の場合は、第三者によるアドレス帳の不正使用と判断しダミーモードに設定する（ステップ４０９）。そして、ダミーデータ表示部２０５によって、ダミーアドレス帳が起動され（ステップ４０８）、ダミーアドレス帳が表示される。
【００１４】
図４は、オーナーが暗証キー入力操作を登録する処理のフローチャートである。
オーナーが暗証キー入力操作を登録・変更する場合、待ち受け画面にて登録済みの登録モード用の暗証キー入力操作情報と同じ符号を入力するためのキー入力操作を開始（携帯電話操作開始）する（ステップ５０１）。そして、ステップ５０２からステップ５０５までは、前図３のフローチャートに示す、ステップ４０２からステップ４０５までの処理と同じ処理が行なわれる。
ステップ５０５で不一致の場合は、次に述べるステップ５０６に進む。
【００１５】
そして、ステップ５０３のループ処理を終了したら、或いは、ループ処理を抜け出したら、キー操作情報認証部２０３によって、一連のキー入力操作が登録モード用暗証キー操作情報３０４（例えば、「６８＃００＊１７３」）と完全に一致したかどうかが判定され（ステップ５０６）、一致した場合、オーナーによる暗証キー入力操作登録処理と判断され、モード種別３０２にある登録モードが設定される（ステップ５０７）。
【００１６】
登録モードに設定されると、暗証キー操作ＤＢ更新部２０４によって暗証キー操作登録画面が表示される（ステップ５０８）。この場合、暗証キー操作登録画面は自動的に表示され、オーナーは、暗証キー操作登録画面によって、暗証キー入力操作を登録・変更することが出来る。暗証キー入力操作のシステム上の登録処理は、暗証キー操作ＤＢ更新部２０４によって実施される。
ステップ５０６で、不一致となった場合は、暗証キー操作登録画面が表示されることなく、暗証キー入力操作を登録するための一連の処理が終了する。
【図面の簡単な説明】
【００１７】
【図１】本発明による携帯電話内情報の閲覧防止システムを概略的に示す説明図である。
【図２】（ａ）本発明による暗証キー操作データベースの説明図である。（ｂ）本発明による暗証キー操作データテーブルのデータ構造図である。
【図３】本発明による待ち受け画面からアドレス帳を起動する処理のフローチャートである。
【図４】本発明による待ち受け画面から登録画面を表示させる処理のフローチャートである。
【図５】従来例による閲覧防止システムの説明図である。
【符号の説明】
【００１８】
２０６  暗証キー操作ＤＢ
３０４  暗証キー操作情報
【図１】
2008219459.tif 000003
【図２】
2008219459.tif 000004
【図３】
2008219459.tif 000005
【図４】
2008219459.tif 000006
【図５】
2008219459.tif 000007